(57)【要約】      （修正有）【課題】容易に展開できる形態で折り畳まれ、且つ展開させた際の展開長さを短縮させることなく、全体の長さを短縮できる粘着テープ又はシートを提供する。【解決手段】粘着テープ又はシートは、長尺状の支持体の両表面における所定の部位に、粘着剤層、仮止め層、離型処理層が形成され、且つ２つの端部が異なる方向に向いた状態となって、蛇腹状に２回以上折り曲げることにより折り畳まれた構成を有しているとともに、一方の端部につまみ部が形成されており、つまみ部を引っ張ることにより、つまみ部が形成されていない端部から、該端部側から１つ目の折り目部の方向に長尺状に展開させることが可能であり、つまみ部が形成されていない端部側から２つ目の折り目部が、つまみ部が形成されていない端部よりも突出した状態で折り畳まれた構成。【選択図】図１
2005224285.tif 000002
【特許請求の範囲】
【請求項１】
長尺状の支持体の両表面における所定の部位に、粘着剤層、仮止め層、離型処理層が形成され、且つ２つの端部が異なる方向に向いた状態となって、蛇腹状に２回以上折り曲げることにより折り畳まれた構成を有しているとともに、一方の端部につまみ部が形成されており、つまみ部を引っ張ることにより、つまみ部が形成されていない端部から、該端部側から１つ目の折り目部の方向に長尺状に展開させることが可能な粘着テープ又はシートであって、つまみ部が形成されていない端部側から２つ目の折り目部が、つまみ部が形成されていない端部よりも突出した状態で折り畳まれた構成を有しており、且つ下記の（ａ）〜（ｄ）の構成を有していることを特徴とする粘着テープ又はシート。
（ａ）つまみ部が形成されていない端部側の部位の表面に、物品に貼付するための粘着剤層を有する構成
（ｂ）つまみ部が形成されていない端部側から１つ目の折り目部と、２つ目の折り目部との間の部位におけるつまみ部が形成されていない端部側の部位側の面において、つまみ部が形成されていない端部側の部位と重ね合わせられていない露出した表面に、少なくとも部分的に、長尺状に展開させるまで物品に貼付するための仮止め層を有する構成
（ｃ）つまみ部が形成された端部側の部位における折り目部間側の表面において、つまみ部が形成される形態で、物品に貼付するための粘着剤層を有し、且つつまみ部が形成された端部側の部位と、該つまみ部が形成された端部側の部位に対して対向している折り目部間の部位とが、離型処理層により剥離可能に貼り合わせられた構成
（ｄ）蛇腹状に４回以上折り曲げることにより折り畳まれた構成を有している場合、対向している折り目部間の部位どうしが、剥離可能に貼り合わせられた構成
【請求項２】
長尺状の支持体の両表面における所定の部位に、粘着剤層、仮止め層、離型処理層が形成され、且つ２つの端部が異なる方向に向いた状態となって、Ｓ字状に２回折り曲げることにより折り畳まれた構成を有しているとともに、一方の端部につまみ部が形成されており、つまみ部を引っ張ることにより、つまみ部が形成されていない端部から、該端部側から１つ目の折り目部の方向に長尺状に展開させることが可能な粘着テープ又はシートであって、つまみ部が形成されていない端部側から２つ目の折り目部が、つまみ部が形成されていない端部よりも突出した状態で折り畳まれた構成を有しており、且つ下記の（ａ１）〜（ｃ１）の構成を有していることを特徴とする粘着テープ又はシート。
（ａ１）つまみ部が形成されていない端部側の部位の表面に、物品に貼付するための粘着剤層を有する構成
（ｂ１）Ｓ字状に折り畳んだ際の折り目部間の部位におけるつまみ部が形成されていない端部側の部位側の面において、つまみ部が形成されていない端部側の部位と重ね合わされていない露出した表面に、少なくとも部分的に、長尺状に展開させるまで物品に貼付するための仮止め層を有する構成
（ｃ１）つまみ部が形成された端部側の部位におけるＳ字状に折り畳んだ際の折り目部間側の表面において、つまみ部が形成される形態で、物品に貼付するための粘着剤層を有し、且つつまみ部が形成された端部側の部位と、該つまみ部が形成された端部側の部位に対して対向しているＳ字状に折り畳んだ際の折り目部間の部位とが、離型処理層により剥離可能に貼り合わせられた構成
【請求項３】
つまみ部が形成されていない端部側の部位の長さＸが、つまみ部が形成されていない端部側から１つ目の折り目部と、２つ目の折り目部との間の部位の長さＹに対して、１０〜７０％の長さとなっている請求項１又は２記載の粘着テープ又はシート。
【請求項４】
つまみ部が形成されていない端部側から１つ目の折り目部と、２つ目の折り目部との間の部位におけるつまみ部が形成されていない端部側の部位側の面において、２つ目の折り目部側の端部に、仮止め層が形成されていない請求項１〜３の何れかの項に記載の粘着テープ又はシート。
【請求項５】
つまみ部が形成された端部側の部位の長さＺが、つまみ部が形成されていない端部側から１つ目の折り目部と、２つ目の折り目部との間の部位の長さＹと、つまみ部が形成されていない端部側の部位の長さＸとの差に対して、９５〜１００％の長さとなっている請求項１〜４の何れかの項に記載の粘着テープ又はシート。
【請求項６】
支持体が、一方の端部から他方の端部まで連続的に形成された構成を有している請求項１〜５の何れかの項に記載の粘着テープ又はシート。
【請求項７】
支持体が、ポリオレフィン系樹脂により形成されている請求項１〜６の何れかの項に記載の粘着テープ又はシート。
【請求項８】
紙おむつを廃棄する際に丸めた状態で保持させるための拘束用粘着テープ又はシートが設けられている紙おむつであって、前記拘束用粘着テープ又はシートとして、請求項１〜７の何れかの項に記載の粘着テープ又はシートが用いられていることを特徴とする紙おむつ。
【請求項９】
拘束用粘着テープ又はシートが、紙おむつの背側表面におけるウエスト部の上下幅領域内に位置する部位に、ウエスト部の開口部方向に展開させることが可能な形態で貼付されている請求項８記載の紙おむつ。
【請求項１０】
パンツ型紙おむつである請求項８又は９の何れかの項に記載の紙おむつ。
【発明の詳細な説明】
【技術分野】
【０００１】
本発明は、粘着テープ又はシート、および紙おむつに関し、さらに詳しくは、容易に展開することができる形態で折り畳まれ、且つ展開させた際に展開する長さを短縮させることなく、全体の長さを短縮させることができる粘着テープ又はシート、および該粘着テープ又はシートが設けられた紙おむつに関する。
【背景技術】
【０００２】
紙おむつ（特に、パンツ型紙おむつ）には、廃棄の際に、丸めた状態で保持させるための拘束用粘着テープ又はシートが設けられている。このような拘束用粘着テープ又はシートとしては、従来、自由端部をおむつ廃棄時に用いる止着部となしてあり、且つその伸展時に該止着部がウエスト部の開口縁部を超えて位置し得る長さを有し、固定部を含む領域、上記止着部を含む領域および上記両領域を連結する中間領域の３層からなる３つ折り状態に折りたたまれているもの（特許文献１参照）や、いずれか一方の端部の表面に、被着面に固定するための固定部を設けたテープ状の支持体を、前記固定部が外側に位置するようにほぼ二つ折りにして、当該二つ折りにした支持体を折り目側から、順次同じ方向に少なくとも１回以上繰り返して折り畳み若しくは巻回したこともの（特許文献２参照）などが提案されている。
【０００３】
【特許文献１】実公平８−１０３０５号公報
【特許文献２】特開平９−２７２８４５号公報
【発明の開示】
【発明が解決しようとする課題】
【０００４】
紙おむつは、使用後には廃棄されるものであるため（すなわち、使い捨てタイプであるため）、ゴミの減量等の観点から、拘束用粘着テープ又はシートについても、より短いことが求められている。しかし、展開させた際に伸びて展開する長さ（展開長さ）が短くなってしまっては、紙おむつを廃棄させる際に、使い勝手が低下し、また、コンパクトに小さく丸めた状態を保持させることが困難になる。また、何重にも折り畳んだ場合、折り畳んだ状態での厚みが厚くなってしまい、紙おむつの使用時の使用感が低下する。そのため、紙おむつに貼付されている拘束用粘着テープ又はシートの全体長さを短縮させることは困難である。
【０００５】
また、拘束用粘着テープ又はシートの全体長さを短縮させることにより、コストも低減することができ、この観点からも、拘束用粘着テープ又はシートの全体長さを短縮させることが求められている。
【０００６】
さらにまた、紙おむつに貼付されている拘束用粘着テープ又はシートは、従来、少なくとも３層の層構成を有しているものが広く利用されており、そのため、折り畳まれた状態での厚みが厚く、特に、一枚の支持体により形成されておらず、２枚の支持体を繋ぎ合わせた構成を有している拘束用粘着テープ又はシートは、厚みが厚いだけでなく、硬さも硬くなっている。従って、展開させた際の展開長さを短縮させずに、折り畳まれた状態での拘束用粘着テープ又はシートの厚みをより一層薄くすることが求められている。
【０００７】
従って、本発明の目的は、容易に展開することができる形態で折り畳まれ、且つ展開させた際の展開長さを短縮させることなく、全体の長さを短縮させることができる粘着テープ又はシートを提供することにある。
本発明の他の目的は、さらに、折り畳まれた際の厚みをより一層薄くすることができる粘着テープ又はシートを提供することにある。
本発明のさらに他の目的は、紙おむつを廃棄する際に丸めた状態で保持させるための拘束用粘着テープ又はシートとして好適に用いることができる粘着テープ又はシートを提供することにある。
【０００８】
本発明の別の目的は、ゴミの減量化に寄与し、廃棄する際に丸めた状態を容易に保持させることが可能な紙おむつを提供することにある。
【課題を解決するための手段】
【０００９】
本発明者らは上記の問題点を解決するために鋭意検討した結果、粘着テープ又はシートを、特定の構成で折り畳むと、長尺状に展開させた際に伸びて展開する展開長さを短縮させることなく、粘着テープ又はシートの全体の長さを短縮させることができ、しかも容易に長尺状に展開することができることを見出した。また、このような形態で折り畳まれた粘着テープ又はシートを紙おむつに装着すると、紙おむつを廃棄する際に丸めた状態を容易に保持させることができるとともに、ゴミの減量化にも寄与することができることを見出した。本発明はこれらの知見に基づいて完成されたものである。
【００１０】
すなわち、本発明は、長尺状の支持体の両表面における所定の部位に、粘着剤層、仮止め層、離型処理層が形成され、且つ２つの端部が異なる方向に向いた状態となって、蛇腹状に２回以上折り曲げることにより折り畳まれた構成を有しているとともに、一方の端部につまみ部が形成されており、つまみ部を引っ張ることにより、つまみ部が形成されていない端部から、該端部側から１つ目の折り目部の方向に長尺状に展開させることが可能な粘着テープ又はシートであって、つまみ部が形成されていない端部側から２つ目の折り目部が、つまみ部が形成されていない端部よりも突出した状態で折り畳まれた構成を有しており、且つ下記の（ａ）〜（ｄ）の構成を有していることを特徴とする粘着テープ又はシートである。
（ａ）つまみ部が形成されていない端部側の部位の表面に、物品に貼付するための粘着剤層を有する構成
（ｂ）つまみ部が形成されていない端部側から１つ目の折り目部と、２つ目の折り目部との間の部位におけるつまみ部が形成されていない端部側の部位側の面において、つまみ部が形成されていない端部側の部位と重ね合わせられていない露出した表面に、少なくとも部分的に、長尺状に展開させるまで物品に貼付するための仮止め層を有する構成
（ｃ）つまみ部が形成された端部側の部位における折り目部間側の表面において、つまみ部が形成される形態で、物品に貼付するための粘着剤層を有し、且つつまみ部が形成された端部側の部位と、該つまみ部が形成された端部側の部位に対して対向している折り目部間の部位とが、離型処理層により剥離可能に貼り合わせられた構成
（ｄ）蛇腹状に４回以上折り曲げることにより折り畳まれた構成を有している場合、対向している折り目部間の部位どうしが、剥離可能に貼り合わせられた構成
【００１１】
本発明の粘着テープ又はシートとしては、長尺状の支持体の両表面における所定の部位に、粘着剤層、仮止め層、離型処理層が形成され、且つ２つの端部が異なる方向に向いた状態となって、Ｓ字状に２回折り曲げることにより折り畳まれた構成を有しているとともに、一方の端部につまみ部が形成されており、つまみ部を引っ張ることにより、つまみ部が形成されていない端部から、該端部側から１つ目の折り目部の方向に長尺状に展開させることが可能な粘着テープ又はシートであって、つまみ部が形成されていない端部側から２つ目の折り目部が、つまみ部が形成されていない端部よりも突出した状態で折り畳まれた構成を有しており、且つ下記の（ａ１）〜（ｃ１）の構成を有していることが好ましい。
（ａ１）つまみ部が形成されていない端部側の部位の表面に、物品に貼付するための粘着剤層を有する構成
（ｂ１）Ｓ字状に折り畳んだ際の折り目部間の部位におけるつまみ部が形成されていない端部側の部位側の面において、つまみ部が形成されていない端部側の部位と重ね合わされていない露出した表面に、少なくとも部分的に、長尺状に展開させるまで物品に貼付するための仮止め層を有する構成
（ｃ１）つまみ部が形成された端部側の部位におけるＳ字状に折り畳んだ際の折り目部間側の表面において、つまみ部が形成される形態で、物品に貼付するための粘着剤層を有し、且つつまみ部が形成された端部側の部位と、該つまみ部が形成された端部側の部位に対して対向しているＳ字状に折り畳んだ際の折り目部間の部位とが、離型処理層により剥離可能に貼り合わせられた構成
【００１２】
前記粘着テープ又はシートとしては、つまみ部が形成されていない端部側の部位の長さＸが、つまみ部が形成されていない端部側から１つ目の折り目部と、２つ目の折り目部との間の部位の長さＹに対して、１０〜７０％の長さとなっていることが好ましい。
【００１３】
また、つまみ部が形成されていない端部側から１つ目の折り目部と、２つ目の折り目部との間の部位におけるつまみ部が形成されていない端部側の部位側の面において、２つ目の折り目部側の端部に、仮止め層が形成されていないことが好適である。
【００１４】
さらにまた、つまみ部が形成された端部側の部位の長さＺが、つまみ部が形成されていない端部側から１つ目の折り目部と、２つ目の折り目部との間の部位の長さＹと、つまみ部が形成されていない端部側の部位の長さＸとの差に対して、９５〜１００％の長さとなっていることが好ましい。
【００１５】
また、支持体としては、一方の端部から他方の端部まで連続的に形成された構成を有していることが好ましく、特に、ポリオレフィン系樹脂により形成されていることが好ましい。
【００１６】
本発明は、また、紙おむつを廃棄する際に丸めた状態で保持させるための拘束用粘着テープ又はシートが設けられている紙おむつであって、前記拘束用粘着テープ又はシートとして、前記粘着テープ又はシートが用いられていることを特徴とする紙おむつである。
【００１７】
前記紙おむつにおいて、拘束用粘着テープ又はシートとしては、紙おむつの背側表面におけるウエスト部の上下幅領域内に位置する部位に、ウエスト部の開口部方向に展開させることが可能な形態で貼付されていることが好ましい。このような紙おむつとしては、パンツ型紙おむつが好適である。
【発明の効果】
【００１８】
本発明の粘着テープ又はシートによれば、容易に展開することができる形態で折り畳まれ、且つ展開させた際の展開長さを短縮させることなく、全体の長さを短縮させることができる。さらに、折り畳まれた際の厚みをより一層薄くすることができる。従って、紙おむつを廃棄する際に丸めた状態で保持させるための拘束用粘着テープ又はシートとして好適に用いることができる。
【００１９】
また、本発明の紙おむつによれば、ゴミの減量化に寄与し、廃棄する際に丸めた状態を容易に保持させることが可能である。
【発明を実施するための最良の形態】
【００２０】
以下に、本発明の実施の形態を、必要に応じて図面を参照しつつ詳細に説明する。なお、同一の部材や部位などには同一の符号を付している場合がある。
［粘着テープ又はシート］
図１は、本発明の粘着テープ又はシートの一例を示す概略断面図である。図１において、１は粘着テープ又はシート（「粘着テープ」と称する場合がある）、１ａはつまみ部が形成された端部（「つまみ部形成端部」と称する場合がある）、１ｂはつまみ部が形成されていない端部（「つまみ部非形成端部」と称する場合がある）、１ｃはＳ字状に２回折り曲げて折り畳まれた際のつまみ部非形成端部１ｂ側から１つ目の折り目部（「第１折り目部」と称する場合がある）、１ｄはＳ字状に２回折り曲げて折り畳まれた際のつまみ部非形成端部１ｂ側から２つ目の折り目部（「第２折り目部」と称する場合がある）、２は支持体、２ａは支持体２のつまみ部が形成された端部側の部位（「展開部位」と称する場合がある）、２ｂは支持体２のつまみ部が形成されていない端部側の部位（「貼付部位」と称する場合がある）、２ｃは支持体２の折り目部間の部位（「１−２折り目部間部位」と称する場合がある）、３ａ１は粘着剤層（「展開粘着剤層」と称する場合がある）、３ａ２は離型処理層（「上部離型処理層」と称する場合がある）、３ａ３はつまみ部用印刷層、３ｂ１は粘着剤層（「貼付粘着剤層」と称する場合がある）、３ｃ１は仮止め層、３ｃ２は離型処理層（「内部離型処理層」と称する場合がある）、４はつまみ部である。また、Ｘは貼付部位２ｂの長さ、Ｙは１−２折り目部間部位２ｃの長さ、Ｚは展開部位２ａの長さである。
【００２１】
具体的には、粘着テープ１において、支持体２は、展開部位２ａ、１−２折り目部間部位２ｃおよび貼付部位２ｂの順で直列的に配列された構成の長尺状のシートが、１−２折り目部間部位２ｃの第２折り目部１ｄが、つまみ部非形成端部１ｂよりも突出した状態となるように、第１折り目部１ｃ、第２折り目部１ｄの２箇所の折り目部で折り曲げることによりＳ字状に２回折り曲げて折り畳まれた構成を有している。なお、展開部位２ａと１−２折り目部間部位２ｃとの境界部が第２折り目部１ｄとなっており、１−２折り目部間部位２ｃと貼付部位２ｂとの境界部が第１折り目部１ｃとなっている。展開部位２ａの端部に位置する部位は、つまみ部４となっている。また、展開部位２ａにおいて、１−２折り目部間部位２ｃ側の面には物品に貼付するための展開粘着剤層３ａ１が、つまみ部が形成される形態で形成され、また、外面側の面には上部離型処理層３ａ２が全面的に形成され、さらに、つまみ部４に位置する部位にはつまみ部用印刷層３ａ３が形成されている。１−２折り目部間部位２ｃにおいて、貼付部位２ｂ側の面には、貼付部位２ｂと重ね合わされていない露出した表面に部分的に長尺状に展開させるまで物品に貼付するための仮止め層が形成され、展開部位２ａ側の面には、内部離型処理層３ｃ２が全面的に形成されている。貼付部位２ｂにおいて、表面側の面には物品に貼付するための貼付粘着剤層３ｂ１が全面的に形成されている。
【００２２】
従って、展開部位２ａは１−２折り目部間部位２ｃに剥離可能なように貼り合わせられている。一方、１−２折り目部間部位２ｃと貼付部位２ｂとは直接接触して重ね合わせられているだけであり、粘着剤層等により貼り合わされていない。また、１−２折り目部間部位２ｃに設けられた仮止め層は、長尺状に展開させるまでの間、物品に貼付して仮止めするために設けられており、長尺状に展開させる際には、物品から容易に剥離させることが可能である。そのため、粘着テープ１は、つまみ部４を引っ張ることにより、貼付部位２ｂにおけるつまみ部非形成端部１ｂから第１折り目部１ｃの方向に長尺状に展開させることができる。例えば、貼付部位２ｂの貼付粘着剤層３ｂ１と１−２折り目部間部位２ｃの仮止め層３ｃ１とを利用して、折り畳まれた状態の粘着テープ１を物品に貼付させた状態で（このとき、貼付部位２ｂが物品に貼付により固定されており、１−２折り目部間部位２ｃは、長尺状に展開させるまでの間、物品に仮止めされている）、つまみ部４を、第２折り目部１ｄからつまみ部形成端部１ａ又はつまみ部４の方向に（すなわち、図１では右の方向）に引っ張ることにより、展開部位２ａと１−２折り目部間部位２ｃとの界面、および１−２折り目部間部位２ｃと物品との界面で剥離が生じて、貼付部位２ｂのみが物品に強く固定された状態で、容易に長尺状に展開させることができる。もちろん、中間部位２ｃが物品から剥離する際には、物品には、破損等のダメージが生じていない。なお、長尺状に展開させる方向としては、つまみ部非形成端部１ｂから、第１折り目部１ｃの方向（図１では右の方向）であり、貼付部位２ｂ又は貼付部位２ｂの第１折り目部１ｃ側の端部を起点にしている。
【００２３】
なお、図１などは、層構成が明確になるように図示されているため、第１折り目部１ｃや第２折り目部１ｄは、厚み方向に幅があり、該幅の上下部の２カ所で折られている形態で表現されているが、実際は、折り畳む際の方法に応じて、Ｕ字型に折られた形態、Ｖ字型に折られた形態などの各種形態で折られた形態となる。
【００２４】
本発明の粘着テープ又はシート（「折り畳み型粘着テープ又はシート」と称する場合がある）としては、図１で示されるように、２つの端部が異なる方向に向いた状態となって、Ｓ字状に２回折り曲げることにより折り畳まれた構成を有していてもよく、また、図２で示されるように、２つの端部が異なる方向に向いた状態となって、蛇腹状、アコーディオン状（アコーディオンの伸縮部位の形状）又はつづら折り状に４回以上折り曲げることにより折り畳まれた構成を有していてもよい。
【００２５】
図２は、本発明の粘着テープ又はシートの他の例を示す概略断面図であり、図２（ａ）は、２つの端部が異なる方向に向いた状態となって、蛇腹状、アコーディオン状又はつづら折り状に４回折り曲げることにより折り畳まれた構成の例を示しており、図２（ｂ）は、２つの端部が異なる方向に向いた状態となって、蛇腹状、アコーディオン状又はつづら折り状に６回折り曲げることにより折り畳まれた構成の例を示している。なお、図２において、２ｄは支持体２の展開部位２ａと貼付部位２ｂとの間の部位、３ｄ１は仮着剤層、３ｄ２は仮着剤層、３ｄ３は仮着剤層、３ｄ４は仮着剤層、３ｄ５は仮着剤層、３ｄ６は仮着剤層、３ｄ７は仮着剤層、３ｄ８は仮着剤層であり、１ａ、１ｂ、２、２ａ、２ｂ、３ａ１、３ａ２、３ａ３、３ｂ１、３ｃ１、３ｃ２、４などの符号は、前記に同じ。
【００２６】
このように、本発明の折り畳み型粘着テープ又はシートは、「２つの端部が異なる方向に向いた状態となって、蛇腹状、アコーディオン状又はつづら折り状に２回以上折り曲げることにより折り畳まれた構成とともに、一方の端部につまみ部が形成されており、つまみ部が形成されていない端部側から２つ目の折り目部が、つまみ部が形成されていない端部よりも突出した状態で折り畳まれた構成」を有することができる。なお、前述のように、「蛇腹状、アコーディオン状又はつづら折り状に２回以上折り曲げる」際の折り曲げる回数としては、特に制限されず、使用目的、折り畳んだ際の長さ、長尺状に展開した際の長さ、折り畳まれた際の厚み等に応じて適宜選択することができる。例えば、下記に示されるように、折り畳み型粘着テープ又はシートを紙おむつの拘束用粘着テープ又はシートとして用いる場合は、「蛇腹状、アコーディオン状又はつづら折り状に２回以上折り曲げる」際の折り曲げる回数は、Ｓ字状に２回であることが好ましいが、もちろん、４回以上（例えば、４回や６回等）であってもよい。
【００２７】
また、前記折り畳み型粘着テープ又はシートにおける「２つの端部が異なる方向に向いた状態となって、蛇腹状、アコーディオン状又はつづら折り状に２回以上折り曲げることにより折り畳まれているとともに、一方の端部につまみ部が形成されており、つまみ部が形成されていない端部側から２つ目の折り目部が、つまみ部が形成されていない端部よりも突出した状態で折り畳まれている」構成としては、折り畳んだ結果、つまみ部が形成されていない端部側から２つ目の折り目部が、つまみ部が形成されていない端部よりも突出した状態となった構成であればよく、従って、つまみ部が形成されていない端部側から２つ目の折り目部が、つまみ部が形成されていない端部よりも突出した状態で折り畳んだ結果、つまみ部が形成されていない端部側から２つ目の折り目部が、つまみ部が形成されていない端部よりも突出した状態となる構成であってもよく、つまみ部が形成されていない端部が、つまみ部が形成されていない端部側から２つ目の折り目部より手前側に位置する状態で折り畳んだ結果、つまみ部が形成されていない端部側から２つ目の折り目部が、つまみ部が形成されていない端部よりも突出した状態となる構成であってもよい。
【００２８】
すなわち、本発明の折り畳み型粘着テープ又はシートは、長尺状の支持体の両表面における所定の部位に、粘着剤層、仮止め層、離型処理層が形成され、且つ２つの端部が異なる方向に向いた状態となって、蛇腹状に２回以上折り曲げることにより折り畳まれた構成を有しているとともに、一方の端部につまみ部が形成されており、つまみ部を引っ張ることにより、つまみ部が形成されていない端部から、該端部側から１つ目の折り目部の方向に長尺状に展開させることが可能な粘着テープ又はシートであって、つまみ部が形成されていない端部側から２つ目の折り目部が、つまみ部が形成されていない端部よりも突出した状態で折り畳まれた構成を有しており、且つ下記の（ａ）〜（ｄ）の構成を有している。
（ａ）つまみ部が形成されていない端部側の部位の表面に、物品に貼付するための粘着剤層を有する構成
（ｂ）つまみ部が形成されていない端部側から１つ目の折り目部と、２つ目の折り目部との間の部位におけるつまみ部が形成されていない端部側の部位側の面において、つまみ部が形成されていない端部側の部位と重ね合わせられていない露出した表面に、少なくとも部分的に、長尺状に展開させるまで物品に貼付するための仮止め層を有する構成
（ｃ）つまみ部が形成された端部側の部位における折り目部間側の表面において、つまみ部が形成される形態で、物品に貼付するための粘着剤層を有し、且つつまみ部が形成された端部側の部位と、該つまみ部が形成された端部側の部位に対して対向している折り目部間の部位とが、離型処理層により剥離可能に貼り合わせられた構成
（ｄ）蛇腹状に４回以上折り曲げることにより折り畳まれた構成を有している場合、対向している折り目部間の部位どうしが、剥離可能に貼り合わせられた構成
【００２９】
折り畳み型粘着テープ又はシートとしては、図１で示されるように、長尺状の支持体の両表面における所定の部位に、粘着剤層、仮止め層、離型処理層が形成され、且つ２つの端部が異なる方向に向いた状態となって、Ｓ字状に２回折り曲げることにより折り畳まれた構成を有しているとともに、一方の端部につまみ部が形成されており、つまみ部を引っ張ることにより、つまみ部が形成されていない端部から、該端部側から１つ目の折り目部の方向に長尺状に展開させることが可能な粘着テープ又はシートであって、つまみ部が形成されていない端部側から２つ目の折り目部が、つまみ部が形成されていない端部よりも突出した状態で折り畳まれた構成を有しており、且つ下記の（ａ１）〜（ｃ１）の構成を有していることが好ましい。
（ａ１）つまみ部が形成されていない端部側の部位の表面に、物品に貼付するための粘着剤層を有する構成
（ｂ１）Ｓ字状に折り畳んだ際の折り目部間の部位におけるつまみ部が形成されていない端部側の部位側の面において、つまみ部が形成されていない端部側の部位と重ね合わされていない露出した表面に、少なくとも部分的に、長尺状に展開させるまで物品に貼付するための仮止め層を有する構成
（ｃ１）つまみ部が形成された端部側の部位におけるＳ字状に折り畳んだ際の折り目部間側の表面において、つまみ部が形成される形態で、物品に貼付するための粘着剤層を有し、且つつまみ部が形成された端部側の部位と、該つまみ部が形成された端部側の部位に対して対向しているＳ字状に折り畳んだ際の折り目部間の部位とが、離型処理層により剥離可能に貼り合わせられた構成
【００３０】
本発明の折り畳み型粘着テープ又はシートにおいて、つまみ部が形成されていない端部側の部位（貼付部位）の長さＸとしては、つまみ部が形成されていない端部側から１つ目の折り目部と、２つ目の折り目部との間の部位（「貼付側中間部位」と称する場合がある）の長さＹよりも短ければ特に制限されず、例えば、５〜９５％の範囲から選択することができるが、貼付部位の長さＸとしては、短すぎると、折り畳み型粘着テープ又はシートの物品に対する粘着性が低下し、長すぎると、折り畳み型粘着テープ又はシートの全体長さの短縮性が低下する。従って、貼付部位の長さＸとしては、貼付側中間部位の長さＹに対して１０〜７０％であることが好ましく、さらに好ましくは１０〜５０％であり、特に１０〜３０％であることが好適である。
【００３１】
なお、本発明では、貼付部位の長さＸとしては、貼付側中間部位の長さＹに対する割合による相対的な大きさ以外にも、絶対的な大きさによっても規定することができる。貼付部位は、物品に貼付により固定するために設けられているので、物品に貼付により固定する（特に、強固に固定する）ことができる長さを有していることが重要なためである。貼付部位の長さＸとしては、例えば、３ｍｍ以上（好ましくは５ｍｍ以上、さらに好ましくは８ｍｍ以上）であることが重要である。なお、貼付部位の長さＸの上限としては特に制限されず、長すぎると、前述のように、折り畳み型粘着テープ又はシートの全体長さの短縮性が低下するので、貼付する物品の種類や貼付粘着剤層による粘着性などに応じて、例えば、２０ｍｍ以下（好ましくは１５ｍｍ以下、さらに好ましくは１２ｍｍ以下）の範囲から選択することができる。従って、貼付部位の長さＸとしては、例えば、貼付側中間部位の長さＹよりも短く、且つ３ｍｍ以上（例えば、３〜２０ｍｍ）である範囲から選択することができる。
【００３２】
また、本発明の折り畳み型粘着テープ又はシートにおいて、つまみ部が形成された端部側の部位（展開部位）の長さＺとしては、つまみ部が形成されていない端部側から１つ目の折り目部と、２つ目の折り目部との間の部位（貼付側中間部位）の長さＹに対して、長くてもよいが、短いことが好ましく、特に、折り畳み型粘着テープ又はシートの折り畳まれた状態での全厚みを薄くする観点から、貼付側中間部位の長さＹから、つまみ部が形成されていない端部側の部位（貼付部位）の長さＸを引いた長さ（Ｙ−Ｘ）と同じか又はそれよりも短くなっていることが好ましい。すなわち、展開部位の長さＺとしては、貼付側中間部位の長さＹと、つまみ部が形成されていない端部側の部位（貼付部位）の長さＸとの差（Ｙ−Ｘ）に対して１００％未満の大きさとなっていることが好ましい。このように、展開部位の長さＺが、貼付側中間部位の長さＹと、貼付部位の長さＸとの差（Ｙ−Ｘ）に対して１００％未満であると、折り畳み型粘着テープ又はシートは、折り畳まれた状態では、貼付部位上に貼付側中間部位を介して展開部位が積層されなくなるので、折り畳まれた状態での全厚みを、従来よりも１層分薄くすることができる。また、展開部位の長さＺが、貼付側中間部位の長さＹと、貼付部位の長さＸとの差（Ｙ−Ｘ）に対して１００％を超えていると、折り畳まれた状態での全厚みが一定にならず、貼付部位上に貼付側中間部位を介して展開部位が積層された箇所で厚みが厚く、その他の場所で厚みが薄くなって、段差が生じてしまうので、展開部位の長さＺを、貼付側中間部位の長さＹと、貼付部位の長さＸとの差（Ｙ−Ｘ）に対して１００％未満にすると、このような段差を無くすという効果も発揮される。
【００３３】
なお、折り畳み型粘着テープ又はシートの展開した際に伸びて展開する展開長さを一定とした場合、展開部位の長さＺの長さが短すぎると、貼付側中間部位の長さが長くなってしまい、折り畳んだ際の長さが長くなってしまう。また、展開部位の長さＺが、貼付側中間部位の長さＹと、貼付部位の長さＸとの差（Ｙ−Ｘ）に対して短すぎると、折り畳まれた状態での厚みが一定にならず、段差が生じてしまう。そのため、折り畳み型粘着テープ又はシートの折り畳まれた状態での全厚みと全長とを適度にする観点等から、展開部位の長さＺとしては、貼付側中間部位の長さＹと、貼付部位の長さＸとの差（Ｙ−Ｘ）に対して９０〜１００％（好ましくは９５〜１００％）であることが望ましく、特に９９〜１００％（ほぼ１００％）であることが好適である。
【００３４】
従って、折り畳み型粘着テープ又はシートとしては、図１で示されるように、展開部位の端部と、貼付部位の端部とが、同一又はほぼ同一の面上に位置するような形態で、折り畳まれていることが好ましい。
【００３５】
なお、折り畳み型粘着テープ又はシートにおいて、展開部位と貼付部位との間の部位（「中間部位」と称する場合がある）としては、折り畳み型粘着テープ又はシートが、Ｓ字状に２回折り曲げることにより折り畳まれた構成を有している場合、貼付側中間部位のみにより構成されている。一方、折り畳み型粘着テープ又はシートが、蛇腹状に４回以上折り曲げることにより折り畳まれた構成を有している場合、貼付側中間部位と、つまみ部が形成されていない端部側から２つ目の折り目部と、３つ目の折り目部との間の部位や、つまみ部が形成されていない端部側から３つ目の折り目部と、４つ目の折り目部との間の部位などの中間部位とにより構成されている。このような貼付側中間部位以外の中間部位の長さとしては、貼付側中間部位よりも短くても長くてもよいが、図２（ａ）や（ｂ）で示されているように、貼付側中間部位と同じ又はほぼ同じ長さであることが好ましい。すなわち、中間部位の長さは、すべて一定又はほぼ一定であることが好ましい。
【００３６】
また、このような折り畳み型粘着テープ又はシートにおいて、展開部位の端部には、つまみ部が形成されるので、展開部位における中間部位側の面に形成されている物品に貼付するための粘着剤層（展開粘着剤層）は、端部につまみ部が形成されるように、端部およびその付近には、形成されていないことが重要である。貼付部位の表面には、少なくとも部分的に、物品に貼付するための粘着剤層（貼付粘着剤層）が形成されていればよいが、全面的に貼付粘着剤層が形成されていることが好ましい。
【００３７】
さらにまた、中間部位のうち、つまみ部が形成されている端部（つまみ部形成端部）側から１つ目の折り目部と、２つ目の折り目部との間の中間部位（「展開側中間部位」と称する場合がある）における展開部位側の面には、離型処理層が形成されている。該離型処理層としては、展開部位の中間部位側の面に形成されている展開粘着剤層が重ね合わせられる部分に、少なくとも設けられていることが重要である。なお、折り畳み型粘着テープ又はシートを、折り畳まれた状態でロール状に巻回する場合は、展開側中間部位における展開部位側の面に全面的に離型処理層が形成されているとともに、展開部位の表面にも全面に離型処理層が形成されていることが好ましい。このように、折り畳み型粘着テープ又はシートが、折り畳まれた状態で展開部位側に露出している表面が、離型処理層となっていると、剥離ライナーを用いなくても、折り畳まれた状態でロール状に巻回させることができる。このような折り畳まれた状態でロール状に巻回された折り畳み型粘着テープ又はシートは、使用時には、巻き戻して、適宜な幅に切断して使用することができる。
【００３８】
なお、折り畳み型粘着テープ又はシートが、Ｓ字状に２回折り曲げることにより折り畳まれた構成を有している場合、展開側中間部位と貼付側中間部位とは、もちろん、同一の中間部位であり、展開部位と貼付部位との間の中間部位は、展開側中間部位又は貼付側中間部位のみである。
【００３９】
また、中間部位のうち、つまみ部が形成されていない端部（つまみ部非形成端部）側から１つ目の折り目部と、２つ目の折り目部との間の中間部位（貼付側中間部位）における貼付部位側の面には、長尺状に展開させるまで物品に貼付する（仮止めする）ための仮止め層が、貼付部位と重ね合わされていない露出した表面に、少なくとも部分的に、形成されている。仮止め層は、貼付側中間部位における貼付部位側の面において、折り畳まれた状態で露出している表面に、全面的に形成されていてもよいが、第２折り目部側の端部側の部分には形成されていないことが好ましい。すなわち、つまみ部非形成端部側から１つ目の折り目部（第１折り目部）と、２つ目の折り目部（第２折り目部）との間の部位におけるつまみ部非形成端部側の部位（貼付部位）側の面において、第２折り目部側の端部側の部分には、仮止め層が形成されていないことが望ましい。なお、仮止め層が形成されていない部分が多すぎると、折り畳み型粘着テープ又はシートの物品への固定性が低下し、剥がれ易くなる。そのため、仮止め層が形成されていない第２折り目部側の端部側の部分としては、第２折り目部側の端部から５ｍｍ以内の部分（さらに好ましくは３ｍｍ以内の部分）であることが望ましい。このように、仮止め層が第２折り目部側の端部側の部分に形成されていない形態を有していると、つまみ部を引っ張って展開させた際に、第２折り目部側の端部が浮き上がり、これにより、引っ張った際の力は、貼付側中間部位と物品との界面に効果的にかかるようになり、貼付部位を物品に固定させた状態で、容易に展開させることができるようになる。
【００４０】
さらに、貼付部位と貼付側中間部位とは、剥離不可能なように貼り合わせられていてもよいが、直接接触して重ね合わせられているだけの構成や、粘着剤層や仮止め層等と離型処理層とを利用して、剥離可能に貼り合わせられた構成を有していることが好ましい。前述のように、貼付部位と、貼付側中間部位とを、貼付せず、直接接触させて重ね合わせた構成とする場合、貼付部位の長さＸとしては、貼付側中間部位の長さＹに対して、３０％以下（例えば、１０〜３０％）であることが好ましい。貼付部位の長さＸが、貼付側中間部位の長さＹに対して、３０％以下（例えば、１０〜３０％）であると、貼付部位と貼付側中間部位とが重ね合わせられている長さが、短くなっているので、貼付部位と貼付側中間部位とを貼付せずに、単に重ね合わせていても、折り畳んだ際に浮きが生じず、接触して重ね合わせられている状態を効果的に保持させることができる。
【００４１】
このように、貼付部位と、貼付側中間部位とを、貼付せず、直接接触させて重ね合わせただけの構成とする場合、仮止め層における第１折り目部側の端部の位置としては、折り畳んだ際の貼付部位の端部（つまみ部非形成端部）の位置又はそれより手前側（すなわち、第２折り目部側）の位置となっていれば特に制限されない。仮止め層における第１折り目部側の端部の位置と、つまみ部非形成端部の位置との間の幅としては、広すぎると、折り畳み型粘着テープ又はシートの物品への固定性が低下し、剥がれ易くなるため、０〜５ｍｍ（好ましくは０〜３ｍｍ）の範囲であることが望ましい。
【００４２】
一方、貼付部位と貼付側中間部位とを剥離可能に貼り合わせる場合は、貼付部位の貼付側中間部位側の面に、離型処理層を形成し、貼付側中間部位の貼付部位と重ね合わせられる表面に粘着剤層や仮止め層（特に、仮止め層）を形成して、剥離可能な形態で貼り合わせることにより、貼付部位と貼付側中間部位とを重ね合わせていることが好ましい。
【００４３】
なお、貼付部位と貼付側中間部位とを剥離不可能なように貼り合わせた場合は、つまみ部を引っ張って展開させた際に、引っ張った際の力が貼付部位と物品との界面にもかかってしまい、貼付部位（すなわち、粘着テープ又はシート）が、物品から剥離してしまう可能性がある。
【００４４】
具体的には、本発明の折り畳み型粘着テープ又はシートにおいて、展開させた際に伸びて展開する展開長さ（すなわち、展開させた際に、物品と貼付している部位におけるつまみ部側の端部から、つまみ部の先端までの長さ）が、１１０ｍｍ程度である場合、図３（ａ）に示されるように、展開部位の長さを５０ｍｍ、展開部位と貼付部位との間（折り目部間）の部位（中間部位）の長さを６０ｍｍ、貼付部位の長さを１０ｍｍとして、Ｓ字状に２回折り曲げて折り畳んだ構成とすることができる。従って、本発明の折り畳み型粘着テープ又はシートは、展開長さが１１０ｍｍであるが、全体長さ（全長）としては、１２０ｍｍとすることが可能である。
【００４５】
なお、折り畳み型粘着テープ又はシートにおいて、展開長さは、展開部位および中間部位（折り目部間の部位）の長さとなり、全体長さは、展開部位、中間部位および貼付部位の長さとなる。従って、図１の折り畳み型粘着テープ又はシートでは、展開長さは（Ｙ＋Ｚ）であり、全体長さは（Ｘ＋Ｙ＋Ｚ）である。
【００４６】
一方、従来の折り畳んだ形態の粘着テープ又はシートとしては、例えば、図３（ｂ）で示されるように、３枚の支持体を繋ぎ合わせて接続させて形成され且つＳ字状に２回折り曲げて折り畳んだ形態の粘着テープ又はシートがあり、この粘着テープ又はシートは、展開させた際に伸びて展開する展開長さが、約１０８ｍｍであるが、粘着テープ又はシートの全体長さ（全長）としては、６３＋５８＋５０＝１７１ｍｍとなっている。しかも、３枚の支持体の長さとしては、それぞれ、７０（６３＋７）、７０（５８＋５＋７）、５１（５０＋１）であるので、３枚の支持体の全長は、１９１ｍｍとなる。
【００４７】
なお、従来の折り畳んだ形態の粘着テープ又はシートが、１枚の支持体により形成され且つＳ字状に２回折り曲げて折り畳んだ形態の粘着テープ又はシートである場合、図３（ｃ）で示されるように、展開させた際に伸びて展開する展開長さが、約１０５ｍｍである場合、粘着テープ又はシートの全長としては、５５＋５０＋５０＝１５５ｍｍとなる。
【００４８】
このように、本発明の折り畳み型粘着テープ又はシートは、展開させた際に伸びて展開する展開長さが、従来の折り畳んだ形態の粘着テープ又はシートの展開させた際の展開長さと同じ又はほぼ同じ長さであっても、全体長さ（全長）が効果的に短縮されている。しかも、展開時には、容易に展開することができる。さらには、折り畳まれた際の厚みが薄くなっており、折り畳んだ状態での粘着テープ又はシートの柔軟性も良好である。
【００４９】
なお、図３は、折り畳んだ状態の粘着テープ又はシートを示す概略断面図であり、図３（ａ）は本発明の折り畳み型粘着テープ又はシートを示しており、図３（ｂ）は３枚の支持体を繋ぎ合わせて接続させて形成され且つＳ字状に２回折り曲げて折り畳んだ形態の従来の折り畳んだ状態の粘着テープ又はシートを示しており、図３（ｃ）は１枚の支持体により形成され且つＳ字状に２回折り曲げて折り畳んだ形態の粘着テープ又はシートを示している。図３において、５ａは折り畳んだ状態の粘着テープ又はシート、６ａ１〜６ａ３は、それぞれ、支持体、７ａ１は粘着剤層、７ａ２は離型処理層、７ａ３は粘着剤層、７ａ４は仮着剤層、７ａ５は離型処理層、７ａ６は粘着剤層、７ａ７は離型処理層、７ａ８はつまみ部用印刷層である。また、５ｂは折り畳んだ状態の粘着テープ又はシート、６ｂは支持体、７ｂ１は粘着剤層、７ｂ２、７ｂ３は、それぞれ、仮着剤層、７ｂ４は離型処理層、７ｂ５は粘着剤層、７ｂ６は離型処理層、７ｂ７はつまみ部用印刷層である。また、１、１ａ〜１ｄ、２ａ〜２ｃ、３ａ１、３ａ２、３ａ３、３ｂ１、３ｃ１、３ｃ２、４などの符号は、前記に同じ。
【００５０】
このように、従来では、図３（ｂ）〜（ｃ）で示されるように、折り畳んだ形態の粘着テープ又はシートにおける折り目部間の部位（中間部位）のうち、つまみ部非形成端部側から１つ目の折り目部と、２つ目の折り目部との間の中間部位（貼付側中間部位）は、貼付部位に仮着等により貼り合わせられており、貼付側中間部位を、紙おむつ等の物品に直接的に仮止めにより貼り付ける形態の粘着テープ又はシートは開示されていなかった。これは、例えば、物品が紙おむつである場合、貼付側中間部位を紙おむつに直接的に貼付すると、容易に剥離することができず、不織布に対して良好な接着性で貼付することができ、不織布から剥離させる際には良好な剥離性を発揮することができる仮止め層が開発されていなかったためである。しかしながら、本発明では、このような特性を発揮することができる仮止め層を開発することができたため、展開させた際に、紙おむつ等の物品（例えば、表面が不織布表面となっている物品など）に貼付により固定されている貼付部位の長さを最小限に短くして、貼付部位側から１つ目の折り目部と２つ目の折り目部との間の部位である貼付側中間部位を、紙おむつ等の物品に直接的に仮止めにより貼り付ける形態の粘着テープ又はシートを作製することが可能となった。もちろん、貼付側中間部位は、紙おむつ等の物品に仮止めしているだけであり、展開時には、紙おむつ等の物品の表面に破損等のダメージを与えずに剥離して展開させることができる。従って、折り畳み型粘着テープ又はシートの全長を効果的に短縮させることが可能となっている。
【００５１】
なお、本発明の折り畳み型粘着テープ又はシートを長尺状に展開させる際、各部位間の界面（例えば、図１で示される粘着テープ１では、展開部位２ａと１−２折り目部間部位２ｃとの界面）や、貼付側中間部位と物品との界面で剥離が生じる順序は特に制限されない。例えば、図１で示される粘着テープ１を長尺状に展開させる場合、（１）展開部位２ａと１−２折り目部間部位２ｃとの界面で剥離が生じた後、１−２折り目部間部位２ｃと物品との界面で剥離が生じてもよく、（２）１−２折り目部間部位２ｃと物品との界面で剥離が生じた後、展開部位２ａと１−２折り目部間部位２ｃとの界面で剥離が生じてもよく、（３）展開部位２ａおよび１−２折り目部間部位２ｃの界面と、１−２折り目部間部位２ｃおよび物品の界面との２つの界面で並行して剥離が生じてもよい。
【００５２】
特に、粘着テープ１としては、展開操作の容易性の観点等から、１−２折り目部間部位２ｃと物品との界面で剥離が生じた後、展開部位２ａと１−２折り目部間部位２ｃとの界面で剥離が生じるように展開する形態を有していることが好ましい。
【００５３】
なお、貼付側中間部位と物品との間の剥離力としては、折り畳み型粘着テープ又はシートを物品に貼付させている際には、貼付状態を有効に保持することができ、つまみ部を引っ張って展開させる際には、容易に剥離させることができる大きさであれば特に制限されず、物品の種類などに応じて適宜選択することができる。例えば、折り畳み型粘着テープ又はシートを紙おむつに貼付して用いる場合（すなわち、物品が紙おむつである場合）、紙おむつの表面はポリプロピレン系不織布である場合が多いので、貼付側中間部位と、ポリプロピレン系不織布としての（商品名「シンテックス」三井化学社製）との間の剥離力としては、０．５〜５．０Ｎ／２５ｍｍ（好ましくは１．０〜３．０Ｎ／２５ｍｍ、さらに好ましくは１．５〜２．５Ｎ／２５ｍｍ）の範囲から選択することができる。
【００５４】
また、展開部位と、貼付側中間部位との間の剥離力としては、０．３〜３．０Ｎ／２５ｍｍ（好ましくは０．５〜２．５Ｎ／２５ｍｍ、さらに好ましくは１．０〜２．０Ｎ／２５ｍｍ）の範囲から選択することができる。
【００５５】
なお、つまみ部非形成端部側の部位（貼付部位）の表面に形成された粘着剤層（貼付粘着剤層）の粘着力は、特に制限されない。また、前記展開粘着剤層の粘着力も特に制限されない。
【００５６】
（支持体）
支持体（基材）としては、特に制限されないが、例えば、プラスチック製基材、金属製基材（例えば、アルミニウム箔、鉄箔、ステンレス箔、ニッケル箔、銅箔等の各種金属箔など）、繊維製基材（例えば、不織布など）、紙製基材（例えば、和紙など）などの薄葉体が挙げられる。支持体は、単層、積層のいずれの形態を有していてもよい。
【００５７】
本発明では、支持体としては、プラスチック製基材を好適に用いることができる。プラスチック製基材を構成する素材又は材料としては、例えば、ポリエチレン（ＰＥ）、ポリプロピレン（ＰＰ）、エチレン−プロピレン共重合体等のポリオレフィン系樹脂；ポリイミド（ＰＩ）；ポリエチレンテレフタレート（ＰＥＴ）、ポリブチレンテレフタレート（ＰＢＴ）等のポリエステル系樹脂；ポリアミド系樹脂；ポリメチルメタクリレート（ＰＭＭＡ）等のメタクリレート系樹脂；アクリル系樹脂；ポリスチレン、アクリロニトリル−スチレン共重合体（ＡＳ樹脂）、アクリロニトリル−ブタジエン−スチレン共重合体（ＡＢＳ樹脂）等のスチレン系樹脂；ポリカーボネート；ウレタン系樹脂：エポキシ系樹脂；フッ素系樹脂などの各種樹脂が挙げられる。プラスチック製基材としては、柔軟性等の観点から、ポリオレフィン系樹脂（なかでもポリエチレンやポリプロピレン、特にポリプロピレン）により形成されているプラスチック製基材が好適である。
【００５８】
なお、支持体（特に、プラスチック製基材）の表面には、粘着剤層等との密着力の向上等を目的に、コロナ処理やプラズマ処理等の物理的処理、下塗り剤等の化学的処理などの適宜な表面処理が施されていてもよい。
【００５９】
支持体の厚みとしては、特に制限されないが、通常、５〜１０００μｍ（好ましくは１０〜５００μｍ）である。
【００６０】
支持体としては、図１で示されているように、貼付部位の端部から展開部位の端部まで連続的に形成された構成を有していることが好ましい。すなわち、支持体としては、一方の端部から他方の端部まで連続的に形成された構成を有している支持体（長尺状の１枚のシート状基材）であることが好ましい。このように、支持体が長尺状の１枚のシート状基材であると、折り畳み型粘着テープ又はシートとしては、１枚のシート状基材が有している本来の優れた柔軟性を効果的に発現させることができ、例えば、折り畳み型粘着テープ又はシートの側面に触れても、ケガの発生が防止されている。しかも、支持体が長尺状の１枚のシート状基材であると、折り畳み型粘着テープ又はシートとした際の厚みを効果的に薄くすることができる。また、支持体が長尺状の１枚のシート状基材であると、その柔軟性により、折り畳んだ際の反発力が小さく、そのため、折り畳んだ状態を保持させるための対向する面と面との接着力が小さくてもよいので、長尺状に展開させる際の力（対向する面同士の剥離力）を効果的に低減させることができる。さらにまた、支持体の表面は段差を有しておらず、平面となっているので、折り畳み型粘着テープ又はシートとした際に、対向する面と面とを密着して、折り畳むことができる。
【００６１】
一方、支持体が、複数のシート状基材の端部側の面どうしを重ね合わせて積層して、長尺状としたもの（「積層長尺状支持体」）であると、それぞれのシート状基材としては柔らかくても、積層部では硬くなっているので、全体としても硬くなっており、折り畳み型粘着テープ又はシートは硬くなっている。また、このような積層長尺状支持体は、積層部を有しているので、その分、折り畳み型粘着テープ又はシートとした際の厚みが厚くなってしまう。さらに、積層長尺状支持体は、硬くなっているので、折り曲げた際の反発力が大きく、折り畳んだ状態を保持させるために、対向する面と面との接着力を高めなくてはならず、長尺状に展開する際の力が高くなる場合がある。しかも、積層部で折り曲げることが困難な場合があるので、折り曲げ部位が限定される場合があり、また積層部で折り曲げても、その反発力が大きく、折り畳んだ状態が保持されにくくなる。さらにまた、積層長尺状支持体の表面は、滑らかな平面でなく、積層部の端部で段差を有しているため、折り畳み型粘着テープ又はシートとした際に、対向する面と面との密着性が低くなる。
【００６２】
（貼付粘着剤層）
貼付粘着剤層は、物品に貼付するために設けられており、特に、折り畳まれた状態で（未展開の状態で）物品に貼付するための粘着剤層として設けられている。具体的には、貼付粘着剤層を利用して、折り畳み型粘着テープ又はシートを物品に貼付することにより、貼付部位を物品に貼付して固定させることができる。なお、貼付粘着剤層は、使用時までの間、剥離ライナーにより保護されていてもよいが、折り畳み型粘着テープ又はシートの展開部位側の表面に形成された離型処理層と貼り合わせられていることが好ましい。この際、仮止め層も折り畳み型粘着テープ又はシートの展開部位側の表面に形成された離型処理層と貼り合わせられていることが好ましい。このように、貼付粘着剤層と貼り合わせられる離型処理層としては、展開部位から１つ目の折り目部と２つ目の折り目部との間の部位である展開側中間部位における展開部位と重ね合わせられていない部分の表面に形成された離型処理層と、必要に応じて展開部位の表面に形成された離型処理層とにより構成することができる。従って、離型処理層は、図１などで示されるように、展開側中間部位における展開部位側の面に全面的に形成され、且つ展開部位の表面に全面に形成されていてもよい。
【００６３】
貼付粘着剤層が、展開部位側の表面に形成された離型処理層と貼り合わせられた形態としては、例えば、（１）折り畳み型粘着テープ又はシートが、貼付粘着剤層の表面と、展開部位側の表面に形成された離型処理層の表面とが接触するように重ね合わせて積層された形態、（２）折り畳み型粘着テープ又はシートが連続的に形成されている長尺状の連続体を、貼付粘着剤層の表面と、展開部位側の表面に形成された離型処理層の表面とが接触するようにロール状に重ね合わせて巻回した形態などが挙げられる。もちろん、仮止め層も折り畳み型粘着テープ又はシートの展開部位側の表面に形成された離型処理層と貼り合わせられている。なお、ロール状に巻回された形態を有している場合は、利用時に、巻き戻して適宜な幅に切断することにより、適宜な幅の折り畳み型粘着テープ又はシートを得ることができる。
【００６４】
貼付粘着剤層を形成するための粘着剤（「貼付粘着剤」と称する場合がある）としては、特に制限されず、例えば、ホットメルト型粘着剤、エマルジョン系粘着剤、溶剤系粘着剤、オリゴマー系粘着剤、固系粘着剤などのいずれの形態の粘着剤であってもよい。貼付粘着剤は、単独で又は２種以上組み合わせて使用することができる。貼付粘着剤としては、ホットメルト型粘着剤を好適に用いることができる。
【００６５】
ホットメルト型粘着剤は、エラストマー（熱可塑性エラストマー等）や熱可塑性樹脂などをベースポリマーとしている。なお、ベースポリマーは単独で又は２種以上を組み合わせて使用できる。ホットメルト型粘着剤におけるベースポリマーの熱可塑性エラストマーとしては、例えば、スチレン−イソプレン−スチレンブロック共重合体（ＳＩＳ）、スチレン−ブタジエン−スチレンブロック共重合体（ＳＢＳ）、スチレン−エチレン−ブチレン−スチレンブロック共重合体（ＳＥＢＳ）、スチレン−エチレン−プロピレン−スチレンブロック共重合体（ＳＥＰＳ）、スチレン−エチレン−プロピレンブロック共重合体（ＳＥＰ）などのスチレン系熱可塑性エラストマー（スチレン系ブロックコポリマー；例えばスチレン含有量５重量％以上のスチレン系ブロックコポリマー）；ポリウレタン系熱可塑性エラストマー；ポリエステル系熱可塑性エラストマー；ポリプロピレンとＥＰＴ（三元系エチレン−プロピレンゴム）とのポリマーブレンドなどのブレンド系熱可塑性エラストマーなどが挙げられる。
【００６６】
また、ホットメルト型粘着剤におけるベースポリマーの熱可塑性樹脂としては、例えば、ポリオレフィン系樹脂、酢酸ビニル系樹脂、ポリエステル系樹脂、スチレン系樹脂、アクリル系樹脂、ポリアミド系樹脂などが挙げられる。なお、ポリオレフィン系樹脂としては、例えば、エチレン系共重合体［例えば、エチレン−酢酸ビニル共重合体（ＥＶＡ）；エチレン−アクリル酸共重合体（ＥＡＡ）、エチレン−メタクリル酸共重合体（ＥＭＡＡ）などのエチレン−不飽和カルボン酸共重合体；アイオノマー；エチレン−アクリル酸メチル共重合体、エチレン−アクリル酸エチル共重合体（ＥＥＡ）、エチレン−アクリル酸２−エチルヘキシル共重合体、エチレン−メタクリル酸メチル共重合体、エチレン−メタクリル酸エチル共重合体などのエチレン−（メタ）アクリル酸エステル共重合体；エチレン−ビニルアルコール共重合体など］の他、ポリエチレン（低密度ポリエチレン、線状低密度ポリエチレン、メタロセン触媒法ポリエチレン、中密度ポリエチレン、高密度ポリエチレンなど）、ポリプロピレン、α−オレフィン共重合体（エチレン−プロピレン共重合体、エチレン−ブテン−１共重合体、プロピレン−ブテン−１共重合体など）などのポリオレフィン；ポリプロピレン変性樹脂などが挙げられる。また、酢酸ビニル系樹脂としては、例えば、ポリ酢酸ビニル、酢酸ビニル−（メタ）アクリル酸エステル共重合体、酢酸ビニル−ビニルエステル共重合体、酢酸ビニル−マレイン酸エステル共重合体などが挙げられる。
【００６７】
ホットメルト型粘着剤としては、ベースポリマーが熱可塑性エラストマー（特に、スチレン系熱可塑性エラストマー）であるホットメルト型粘着剤が好適である。
【００６８】
また、エマルジョン系粘着剤や溶剤系粘着剤等の粘着剤としては、アクリル系粘着剤、ゴム系粘着剤、ポリエステル系粘着剤、ウレタン系粘着剤、ポリアミド系粘着剤、エポキシ系粘着剤、ビニルアルキルエーテル系粘着剤、シリコーン系粘着剤、フッ素系粘着剤などの粘着剤であって、それぞれの形態（例えば、エマルジョンの形態、溶液の形態など）の粘着剤が挙げられる。
【００６９】
なお、貼付粘着剤は、粘着性成分（ベースポリマー）等のポリマー成分の他に、粘着剤の種類等に応じて、架橋剤（例えば、ポリイソシアネート系架橋剤、アルキルエーテル化メラミン化合物系架橋剤など）、粘着付与剤（例えば、ロジン誘導体樹脂、ポリテルペン樹脂、石油樹脂、フェノール樹脂など）、可塑剤、充填剤、老化防止剤などの適宜な添加剤を含んでいてもよい。
【００７０】
貼付粘着剤としては、いわゆる「強粘着剤」を好適に用いることができる。具体的には、貼付粘着剤による貼付粘着剤層の粘着力としては、ＪＩＳ  Ｚ  ０２３７に規定された１８０°引き剥し試験（被着体：ステンレス板、引張速度：３００ｍｍ／分）において、２．０Ｎ／１０ｍｍ以上であることが望ましい。
【００７１】
貼付粘着剤層の形成方法としては、公知乃至慣用の粘着剤層の形成方法を採用することができ、例えば、支持体の所定の面における所定の部位上に、貼付粘着剤を乾燥後の厚さが所定の厚さとなるように直接塗工して乾燥する方法（塗布方法）、セパレータ上に、乾燥後の厚さが所定の厚さとなるように貼付粘着剤を塗布して粘着剤層を形成した後、該粘着剤層を基材上に転写する方法（転写方法）などが挙げられる。
【００７２】
貼付粘着剤層の厚みとしては、特に限定するものではないが、粘着特性等の点から、１０μｍ以上であることが望ましく、例えば、１０〜１０００μｍ（好ましくは２０〜５００μｍ）程度の範囲から選択することができる。
【００７３】
（展開粘着剤層）
展開粘着剤層は、基本的には、物品に貼付するために設けられており、特に、展開した状態で物品に貼付するための粘着剤層として設けられている。また、未展開の状態では、折り畳み型粘着テープ又はシートを、該折り畳まれた状態を保持させるための機能も発揮している。具体的には、展開粘着剤層を、展開部位に対向している部位（展開側中間部位）の面に貼り合わせることにより、展開部位と、展開側中間部位とについて、折り畳まれている状態を保持させることができる。もちろん、この貼り合わせでは粘着剤層と離型処理層とが用いられているので、展開部位と、展開側中間部位とは剥離可能となっている。また、折り畳まれた状態で貼付粘着剤層により物品に貼付された折り畳み型粘着テープ又はシートを、長尺状に展開し、該展開した状態の粘着テープ又はシートを、展開粘着剤層を利用して、物品に貼付することにより、長尺状の粘着テープ又はシートを物品に貼付することができる。このとき、両端に形成された粘着剤層（貼付粘着剤層、展開粘着剤層）を利用して、長尺状の粘着テープ又はシートを物品に貼付しているので、物品を拘束する（特に、物品を所定の形状にして拘束する）機能を発揮することができる。
【００７４】
展開粘着剤層を形成するための粘着剤（「展開粘着剤」と称する場合がある）としては、特に制限されず、前記貼付粘着剤と同様の粘着剤を用いることができる。具体的には、展開粘着剤としては、例えば、ホットメルト型粘着剤、エマルジョン系粘着剤、溶剤系粘着剤、オリゴマー系粘着剤、固系粘着剤などのいずれの形態の粘着剤であってもよい。展開粘着剤は、単独で又は２種以上組み合わせて使用することができる。展開粘着剤としては、ホットメルト型粘着剤を好適に用いることができる。
【００７５】
展開粘着剤におけるホットメルト型粘着剤としては、前記貼付粘着剤におけるホットメルト型粘着剤と同様に、エラストマー（熱可塑性エラストマー等）や熱可塑性樹脂などをベースポリマーとするホットメルト型粘着剤が挙げられる。なお、ホットメルト型粘着剤における熱可塑性エラストマーや熱可塑性樹脂としては、前記と同様の熱可塑性エラストマーや熱可塑性樹脂が挙げられる。ホットメルト型粘着剤としては、ベースポリマーが熱可塑性エラストマー（特に、スチレン系熱可塑性エラストマー）であるホットメルト型粘着剤が好適である。
【００７６】
また、エマルジョン系粘着剤や溶剤系粘着剤等の粘着剤としては、前記貼付粘着剤の場合と同様の粘着剤が挙げられる。
【００７７】
なお、展開粘着剤は、粘着性成分（ベースポリマー）等のポリマー成分の他に、粘着剤の種類等に応じて、架橋剤（例えば、ポリイソシアネート系架橋剤、アルキルエーテル化メラミン化合物系架橋剤など）、粘着付与剤（例えば、ロジン誘導体樹脂、ポリテルペン樹脂、石油樹脂、フェノール樹脂など）、可塑剤、充填剤、老化防止剤などの適宜な添加剤を含んでいてもよい。
【００７８】
展開粘着剤としては、いわゆる「強粘着剤」を好適に用いることができる。具体的には、展開粘着剤による展開粘着剤層の粘着力としては、ＪＩＳ  Ｚ  ０２３７に規定された１８０°引き剥し試験（被着体：ステンレス板、引張速度：３００ｍｍ／分）において、２．０Ｎ／１０ｍｍ以上であることが望ましい。
【００７９】
展開粘着剤層の形成方法としては、前記貼付粘着剤層と同様に、公知乃至慣用の粘着剤層の形成方法を採用することができ、例えば、支持体の所定の面における所定の部位上に、展開粘着剤を乾燥後の厚さが所定の厚さとなるように直接塗工して乾燥する方法（塗布方法）、セパレータ上に、乾燥後の厚さが所定の厚さとなるように展開粘着剤を塗布して粘着剤層を形成した後、該粘着剤層を基材上に転写する方法（転写方法）などが挙げられる。
【００８０】
展開粘着剤層の厚みとしては、特に限定するものではないが、粘着特性等の点から、１０μｍ以上であることが望ましく、例えば、１０〜１０００μｍ（好ましくは２０〜５００μｍ）程度の範囲から選択することができる。
【００８１】
本発明では、貼付粘着剤、展開粘着剤は、同一の粘着剤であってもよく、異なる粘着剤であってもよい。また、同種の粘着剤であってもよい。
【００８２】
（仮止め層）
仮止め層は、長尺状に展開させるまでの間、折り畳み型粘着テープ又はシートを物品に貼付するために設けられている。具体的には、貼付粘着剤層とともに、仮止め層を利用して、折り畳み型粘着テープ又はシートを物品に貼付することにより、貼付部位とともに、仮止め層が形成されている部位（貼付側中間部位）を物品に貼付して固定させることができる。一方、折り畳み型粘着テープ又はシートを展開させる際には、貼付部位のみを物品に貼付により固定した状態で、仮止め層により物品に貼付されている貼付側中間部位を物品から容易に剥離させ、しかも物品（紙おむつなど）の表面に破損等のダメージを与えることなく展開させることができる。
【００８３】
なお、仮止め層は、使用時までの間、貼付粘着剤層と同様に、剥離ライナーにより保護されていてもよいが、折り畳み型粘着テープ又はシートの展開部位側の表面に形成された離型処理層と貼り合わせられていることが好ましい。このように、仮止め層と貼り合わせられる離型処理層としては、展開部位の表面に形成された離型処理層と、必要に応じて展開側中間部位における展開部位と重ね合わせられていない部分の表面に形成された離型処理層とにより構成することができる。従って、離型処理層は、前述のように、展開側中間部位における展開部位側の面の全面と、展開部位の表面の全面に形成されていることが好ましい。
【００８４】
なお、仮止め層が、展開部位側の表面に形成された離型処理層と貼り合わせられた形態としては、前記貼付粘着剤層が、展開部位側の表面に形成された離型処理層と貼り合わせられた形態と同様である。
【００８５】
仮止め層は、長尺状に展開させるまで物品に貼付することが可能な層であれば、その構成材料は特に制限されない。仮止め層は、仮止め剤により形成することができる。仮止め層を形成するための仮止め剤としては、ホットメルト型仮止め剤、エマルジョン系仮止め剤、溶剤系仮止め剤、オリゴマー系仮止め剤、固系仮止め剤などのいずれの形態の仮止め剤であってもよい。仮止め剤は、単独で又は２種以上組み合わせて使用することができる。仮止め剤としては、ホットメルト型仮止め剤を好適に用いることができる。
【００８６】
ホットメルト型仮止め剤は、スチレン系ポリマーや、オレフィン系ポリマーをベースポリマーとしている。なお、ベースポリマーは単独で又は２種以上を組み合わせて使用できる。
【００８７】
ホットメルト型仮止め剤におけるベースポリマーとしてのスチレン系ポリマーとしては、例えば、スチレン−イソプレン−スチレンブロック共重合体（ＳＩＳ）、スチレン−ブタジエン−スチレンブロック共重合体（ＳＢＳ）、スチレン−エチレン−ブチレン−スチレンブロック共重合体（ＳＥＢＳ）、スチレン−エチレン−プロピレン−スチレンブロック共重合体（ＳＥＰＳ）、スチレン−エチレン−プロピレンブロック共重合体（ＳＥＰ）等のスチレン系ブロックコポリマー（例えばスチレン含有量５重量％以上のスチレン系ブロックコポリマー）などが挙げられる。
【００８８】
また、ホットメルト型仮止め剤におけるベースポリマーとしてのオレフィン系ポリマーとしては、例えば、エチレン−酢酸ビニル共重合体（ＥＶＡ）；エチレン−アクリル酸共重合体（ＥＡＡ）、エチレン−メタクリル酸共重合体（ＥＭＡＡ）などのエチレン−不飽和カルボン酸共重合体；アイオノマー；エチレン−アクリル酸メチル共重合体、エチレン−アクリル酸エチル共重合体（ＥＥＡ）、エチレン−アクリル酸２−エチルヘキシル共重合体、エチレン−メタクリル酸メチル共重合体、エチレン−メタクリル酸エチル共重合体などのエチレン−（メタ）アクリル酸エステル共重合体；エチレン−ビニルアルコール共重合体等のエチレン系共重合体；低密度ポリエチレン、線状低密度ポリエチレン、メタロセン触媒法ポリエチレン、中密度ポリエチレン、高密度ポリエチレン等のポリエチレン；ポリプロピレン；エチレン−プロピレン共重合体、エチレン−ブテン−１共重合体、プロピレン−ブテン−１共重合体等のα−オレフィン共重合体などの他、ポリプロピレン変性樹脂などが挙げられる。
【００８９】
なお、エマルジョン系仮止め剤や溶剤系仮止め剤等の仮止め剤としては、前記スチレン系ポリマーやオレフィン系ポリマーをベースポリマーとする仮止め剤あって、それぞれの形態（例えば、エマルジョンの形態、溶液の形態など）の仮止め剤が挙げられる。
【００９０】
仮止め剤は、粘着性成分（ベースポリマー）等のポリマー成分の他に、該ポリマーと少なくとも部分的に相溶性を有している樹脂（「混合樹脂」と称する場合がある）を含んでいることが好ましい。このような混合樹脂は、固体状の樹脂であることが重要である。具体的には、混合樹脂としては、例えば、テルペン系樹脂、炭化水素系樹脂、ロジン誘導体、フェノール系樹脂などが挙げられる。混合樹脂としては、テルペン系樹脂、炭化水素系樹脂が好ましく、特にテルペン系樹脂が好適である。なお、混合樹脂は単独で又は２種以上組み合わせて使用することができる。
【００９１】
混合樹脂において、テルペン系樹脂としては、例えば、α−ピネン重合体、β−ピネン重合体、ジペンテン重合体などのテルペン系樹脂や、これらのテルペン系樹脂を変性（フェノール変性、芳香族変性、水素添加変性、炭化水素変性など）した変性テルペン系樹脂（例えば、テルペン−フェノール系樹脂、スチレン変性テルペン系樹脂、芳香族変性テルペン系樹脂、水素添加テルペン系樹脂など）などが挙げられる。また、炭化水素系樹脂としては、例えば、脂肪族系炭化水素樹脂［炭素数４〜５のオレフィンやジエン（ブテン−１、イソブチレン、ペンテン−１等のオレフィン；ブタジエン、１，３−ペンタジエン、イソプレン等のジエンなど）などの脂肪族炭化水素の重合体など］、脂肪族系環状炭化水素樹脂［いわゆる「Ｃ４石油留分」や「Ｃ５石油留分」を環化二量体化した後重合させた脂環式炭化水素系樹脂、環状ジエン化合物（シクロペンタジエン、ジシクロペンタジエン、エチリデンノルボルネン、ジペンテンなど）の重合体又はその水素添加物、下記の芳香族系炭化水素樹脂や脂肪族・芳香族系石油樹脂の芳香環を水素添加した脂環式炭化水素系樹脂など］、芳香族系炭化水素樹脂［炭素数が８〜１０であるビニル基含有芳香族系炭化水素（スチレン、ビニルトルエン、α−メチルスチレン、インデン、メチルインデンなど）の重合体など］、脂肪族・芳香族系石油樹脂（スチレン−オレフィン系共重合体など）、脂肪族・脂環族系石油樹脂、水素添加炭化水素樹脂、クマロン系樹脂、クマロンインデン系樹脂などの各種の炭化水素系の樹脂が挙げられる。
【００９２】
混合樹脂の割合としては、例えば、ベースポリマー：１００重量部に対して１０〜１５０重量部（好ましくは２０〜１２０重量部、さらに好ましくは３０〜８０重量部）の範囲から選択することができる。
【００９３】
また、仮止め剤には、軟化剤が含まれていることが好ましい。軟化剤としては、液状の軟化剤であることが重要である。軟化剤としては、テルペン系油、ナフテン系油、パラフィン系油など各種の軟化剤を用いることができるが、テルペン系油を好適に用いることができる。軟化剤は単独で又は２種以上組み合わせて使用することができる。
【００９４】
軟化剤において、テルペン系油としては、例えば、商品名「ＹＳレジンＴＯ−Ｌ」（ヤスハラケミカル社製；芳香族変性テルペン炭化水素低重合物）などが挙げられる。
【００９５】
軟化剤の割合としては、例えば、ベースポリマー：１００重量部に対して１０〜１００重量部（好ましくは２０〜８０重量部、さらに好ましくは３０〜６０重量部）の範囲から選択することができる。
【００９６】
さらに、仮止め剤は、必要に応じて、例えば、酸化防止剤、老化防止剤、紫外線吸収剤、可塑剤、充填剤、架橋剤などの適宜な添加剤を含んでいてもよい。
【００９７】
このような仮止め剤としては、ベースポリマーがスチレン系ポリマー等のゴム系ポリマーである場合、１６０℃における溶融粘度が、３０〜８００Ｐａ・ｓであることが好ましく、さらに好ましくは５０〜６００Ｐａ・ｓであり、特に８０〜５００Ｐａ・ｓであることが好ましい。また、ベースポリマーがオレフィン系ポリマーである場合、仮止め剤としては、１６０℃における溶融粘度が、０．１〜５．０Ｐａ・ｓであることが好ましく、さらに好ましくは０．３〜３．５Ｐａ・ｓであり、特に１．０〜３．０Ｐａ・ｓであることが好ましい。仮止め剤の溶融粘度（１６０℃）が低すぎると、仮止め層の接着力が強すぎて、折り畳み型粘着テープ又はシートを仮止め層を利用して物品に貼付した際に、物品から容易に剥離させることができなくなる。一方、仮止め剤の溶融粘度（１６０℃）が高すぎると、仮止め層の接着力が低下して、折り畳み型粘着テープ又はシートの物品への固定性が低下する。
【００９８】
なお、仮止め剤の溶融粘度（１６０℃）は、ＪＩＳ  Ｋ  ６８６２に準じて測定することができる。具体的にはホットメルト接着剤溶融粘度試験法で測定することができる。
【００９９】
仮止め剤としては、いわゆる「弱粘着剤」を好適に用いることができる。具体的には、仮止め剤による仮止め層の粘着力としては、前述のように、例えば、ポリプロピレン系不織布（商品名「シンテックス」三井化学社製）に対して、０．５Ｎ／１０ｍｍ以上［ＪＩＳ  Ｚ  ０２３７に規定された１８０°引き剥し試験（引張速度：３００ｍｍ／分）に準拠］であることが望ましい。
【０１００】
仮止め層の形成方法としては、例えば、支持体の所定の面における所定の部位上に、熱溶融されたホットメルト型仮止め剤を直接塗工して冷却する方法（ホットメルト塗工方法）や、乾燥後の厚さが所定の厚さがとなるように溶液型の仮止め剤を塗工して乾燥する方法（溶液塗工方法）などが挙げられる。なお、ホットメルト型仮止め剤を塗工する際には、いわゆる「ベタ状」、霧状、パターン状などの各種形状で塗工することができる。
【０１０１】
仮止め層の厚みとしては、特に限定するものではないが、例えば、５〜６０μｍ（好ましくは１０〜４０μｍ）程度の範囲から選択することができる。
【０１０２】
（つまみ部用印刷層）
つまみ部用印刷層は、つまみ部を明確に示すために形成されている。従って、つまみ部用印刷層は、つまみ部を明確に示す必要がない場合は、形成されていなくてもよい。すなわち、つまみ部用印刷層は、任意に設けることができる。つまみ部用印刷層は、公知の各種印刷方法を適宜利用して形成することができる。なお、つまみ部用印刷層を形成する印刷インキなどは特に制限されず、印刷方法等に応じて公知の印刷インキから適宜選択することができる。
【０１０３】
（離型処理層）
本発明の折り畳み型粘着テープ又はシートでは、離型処理層が、展開部位の中間部位側の面に形成されている展開粘着剤層が重ね合わせられる中間部位（展開側中間部位）の表面の部位に、少なくとも設けられている。離型処理層が設けられる他の部位としては、例えば、展開部位の表面の部位、展開側中間部位における展開粘着剤層が重ね合わせられない表面の部位、貼付部位における貼付側中間部位が重ね合わせられる表面の部位などが挙げられる。これらの部位は、任意に選択することができる。
【０１０４】
このような離型処理層を形成する離型処理剤（剥離処理剤）としては、特に制限されず、例えば、長鎖アルキル基含有ポリマーによる離型処理剤、シリコーン系離型処理剤、フッ素系離型処理剤などの公知の離型処理剤を適宜選択して用いることができ、なかでもシリコーン系離型処理剤を好適に用いることができる。
【０１０５】
離型処理層の形成方法としては、公知乃至慣用の離型処理層の形成方法を採用することができ、例えば、支持体の所定の面における所定の部位上に、離型処理剤を乾燥後の厚さが所定の厚さとなるように直接塗工して乾燥する方法（塗布方法）などが挙げられる。離型処理層の厚みとしては、特に制限されず、例えば、０．００１〜５μｍ程度の範囲から選択することができる。
【０１０６】
（仮着剤層）
折り畳み型粘着テープ又はシートが、蛇腹状に４回以上折り曲げることにより折り畳まれた構成を有している場合、展開部位と貼付部位との間の中間部位どうし（すなわち、折り目部間の部位どうし）は、接着剤層と離型処理層とを利用して貼付された状態で重ね合わせられていてもよいが、仮着剤層を利用して貼付された状態で重ね合わせられていることが好ましい。仮着剤層を利用することにより、剥離可能な状態で貼り合わせて、折り畳まれている状態を保持させることができる。また、剥離後は、仮着剤層の接着性が著しく低下し、再接着させることが難しくなっており、中間部位の仮着剤層が形成されていた表面は、ベタベタしていない。従って、折り畳み型粘着テープ又はシートを長尺状に展開した際には、仮着剤層が表面に露出するが、仮着剤層の表面は非粘着面となっているので、指や物品の一部などが仮着剤層の表面に触れても接着し難くなっている。
【０１０７】
このような仮着剤層を形成する仮着剤としては、特に制限されず、例えば、ポリオレフィン系仮着剤（例えば、ポリエチレン系仮着剤、ポリプロピレン系仮着剤、エチレン−プロピレン共重合体系仮着剤など）；スチレン系仮着剤（例えば、スチレン系熱可塑性エラストマーによる仮着剤等）などの公知の仮着剤を用いることができる。仮着剤は単独で又は２種以上組み合わせて使用することができる。なお、仮着剤層は、貼り合わせる中間部位どうしの各面に形成することができる。各仮着剤層は、同一の仮着剤により形成されていてもよく、異なる仮着剤により形成されていてもよい。
【０１０８】
仮着剤層を形成する仮着剤としては、ポリオレフィン系仮着剤（なかでも、ポリプロピレン系仮着剤）を好適に用いることができる。
【０１０９】
仮着剤層の形成方法としては、公知乃至慣用の仮着剤層の形成方法を採用することができる。例えば、支持体の所定の面における所定の部位上に、熱溶融された仮着剤を直接塗工して冷却する方法（ホットメルト塗工方法）や、乾燥後の厚さが所定の厚さがとなるように溶液型の仮着剤を塗工して乾燥する方法（溶液塗工方法）などが挙げられる。
【０１１０】
仮着剤層の厚みとしては特に限定するものではないが、各仮着剤層の厚みとして、例えば、２〜４０μｍ（好ましくは５〜１５μｍ）程度の範囲から選択することができる。
【０１１１】
（他の粘着剤層）
なお、本発明では、貼付側中間部位における貼付部位が重ね合わせられる表面の部位や、中間部位どうしを重ね合わせる際の一方の中間部位の表面の部位などに、必要に応じて粘着剤層を形成することができる。このような粘着剤層は、前記貼付粘着剤層や展開粘着剤層を形成する粘着剤と同様の粘着剤により形成することができる。
【０１１２】
（折り畳み型粘着テープ又はシートの製造方法）
本発明の折り畳み型粘着テープ又はシートは、各粘着剤層（貼付粘着剤層、展開粘着剤層）、各仮止め層、各離型処理層、および必要に応じてつまみ部用印刷層などの各層を形成する工程（各層形成工程）と、貼付部位と貼付側中間部位とが所定の位置関係で接触するように折り畳む工程（第１折り畳み工程）と、展開部位と展開側中間部位とが所定の位置関係で接触するように折り畳む工程（第２折り畳み工程）と、必要に応じて、中間部位どうしが接触するように折り畳む工程（第３折り畳み工程）とを具備する製造方法により作製することができる。
【０１１３】
具体的には、図１で示される折り畳み型粘着テープ又はシートは、下記の工程を具備する製造方法により作製することができる。
支持体の所定の面における所定の部位に貼付粘着剤層を形成する工程
支持体の所定の面における所定の部位に展開粘着剤層を形成する工程
支持体の所定の面における所定の部位に仮止め層を形成する工程
支持体の所定の面における所定の部位に離型処理層を形成する工程
貼付部位と貼付側中間部位とが所定の位置関係で接触するように折り畳む工程（第１折り畳み工程）
展開部位と展開側中間部位とが所定の位置関係で接触するように折り畳む工程（第２折り畳み工程）
【０１１４】
また、必要に応じて、さらに下記の工程を含んでいてもよい。
支持体の所定の面における所定の部位につまみ部用印刷層を形成する工程
【０１１５】
このように、折り畳み型粘着テープ又はシートは、各層を形成する工程（各層形成工程）と、第１折り畳み工程と、第２折り畳み工程と、必要に応じて第３折り畳み工程とを具備する製造方法により作製することができる。例えば、図１で示される折り畳み型粘着テープ又はシートの場合、図４に示されるように、支持体における一方の面の所定の部位に、つまみ部用印刷層、展開粘着剤層、離型処理層、貼付粘着剤層を形成し、他方の面の所定の部位に、離型処理層、仮止め層を形成して、予め各層をすべて形成した後、貼付粘着剤層の端部が仮止め層の端部と重ならずほぼ同一の部位となり、同一の表面側に位置するように折り畳み、その後、折り畳む前の支持体における同一面上に形成された展開粘着剤層と離型処理層との境界部で、展開粘着剤層と離型処理層とが接触するように折り畳むことにより、形成してもよい。また、前記と同様に、予め各層をすべて形成した後、折り畳む前の支持体における同一面上に形成された展開粘着剤層と離型処理層との境界部で、展開粘着剤層と離型処理層とが接触するように折り畳み、その後、貼付粘着剤層の端部が仮止め層の端部と重ならずほぼ同一の部位となり、同一の表面側に位置するように折り畳むことにより、形成してもよい。
【０１１６】
さらにまた、第２折り畳み工程を行う前に、つまみ部用印刷層、展開粘着剤層、折り畳む前の支持体における展開粘着剤層と同一表面側の離型処理層を形成してから第２折り畳み工程を行い、且つ第１折り畳み工程を、前記第２折り畳み工程の前後か、或いは並行して行うことにより作製することもできる。なお、この場合、貼付粘着剤層、仮止め層や、折り畳む前の支持体における仮止め層と同一表面側の離型処理層などは、適宜な段階で形成することができる。
【０１１７】
また、製作設備、工程の工夫で、第１折り畳み工程の前に、つまみ部用印刷層、展開粘着剤層、折り畳む前の支持体における展開粘着剤層と同一表面側の離型処理層、貼付粘着剤層、折り畳む前の支持体における仮止め層と同一表面側の離型処理層、仮止め層を形成してから、第１折り畳み工程と、第２折り畳み工程とを続けて行うことにより作製することもできる。
【０１１８】
図４は、本発明の粘着テープ又はシートを作製する方法の一例を示す概略断面図であり、図４（ａ）は支持体上の所定の部位に各層が形成された状態を示し、図４（ｂ）は各層が形成された支持体を、貼付粘着剤層の端部が仮止め層の端部と重ならずほぼ同一の部位となり、同一の表面側に位置するような形態で折り畳んだ状態を示し、図４（ｃ）は、図４（ｂ）で示されるように折り畳んだ後、展開粘着剤層と、支持体の同一面上に形成された離型処理層との境界部で、展開粘着剤層と離型処理層とが接触するように折り畳んだ状態を示している。図４において、１、１ａ〜１ｄ、２、２ａ〜２ｃ、３ａ１、３ａ２、３ａ３、３ｂ１、３ｃ１、３ｃ２、４などの符号は、前記に同じ。
【０１１９】
本発明の折り畳み型粘着テープ又はシートとしては、まず、それぞれ、支持体の所定の面における所定の部位に、各離型処理層（折り畳む前の支持体における展開粘着剤層と同一表面側の離型処理層、折り畳む前の支持体における仮止め層と同一表面側の離型処理層）を形成した後、展開粘着剤層を形成してから、折り畳む前の支持体における同一面上に形成された展開粘着剤層と離型処理層との境界部で、展開粘着剤層と所定の離型処理層とが接触するように折り畳み、その後、貼付粘着剤層と、仮止め層とを同時に又は別々に形成してから、貼付粘着剤層の端部が仮止め層の端部と重ならずほぼ同一の部位となり、同一の表面側に位置するように折り畳むことにより、好適に作製することができる。この際、つまみ部用印刷層は、適宜な段階で形成することができる。
【０１２０】
なお、本発明の折り畳み型粘着テープ又はシートとしては、図５で示されるように、前述のように折り畳まれた状態の粘着テープ又はシートが連続的に形成されている長尺状の連続体を、貼付粘着剤層および仮止め層の表面と、露出している離型処理層の表面とが接触するようにロール状に重ね合わせて巻回し、使用時に巻き戻して適宜な幅に切断する形態で提供することもできる。このように、折り畳まれた状態でロール状に巻回された形態の粘着テープ又はシートは、例えば、長尺状の支持体の一方の面の幅方向における所定の部位に、つまみ部用印刷層、展開粘着剤層、離型処理層、貼付粘着剤層を形成し、他方の面の幅方向における所定の部位に、離型処理層、仮止め層を形成して、適宜な時に、幅方向で、貼付粘着剤層の端部が仮止め層の端部と重ならずほぼ同一の部位となり、同一の表面側に位置するように折り畳む工程（第１折り畳み工程）と、折り畳む前の支持体における同一面上に形成された展開粘着剤層と離型処理層との境界部で、展開粘着剤層と離型処理層とが接触するように折り畳む工程（第２折り畳み工程）とを行った後、貼付粘着剤層および仮止め層の表面と、露出している離型処理層の表面とが接触するようにロール状に重ね合わせて巻回することにより、作製することができる。
【０１２１】
図５は、本発明の粘着テープ又はシートの一例を示す概略断面図であり、図５（ａ）は折り畳まれた状態の粘着テープ又はシートが連続的に形成されている長尺状の連続体をロール状に重ね合わせて巻回された形態の粘着テープ又はシートを示し、図５（ｂ）は、図５（ａ）におけるＸ´−Ｙ´線断面図である。なお、図５において、１１は折り畳まれた状態の粘着テープ又はシートが連続的に形成されている長尺状の連続体をロール状に重ね合わせて巻回された形態の粘着テープ又はシートであり、１ａ〜１ｄ、２、２ａ〜２ｃ、３ａ１、３ａ２、３ａ３、３ｂ１、３ｃ１、３ｃ２、４などの符号は、前記に同じ。
【０１２２】
本発明の折り畳み型粘着テープ又はシートは、前記構成を有しているので、容易に展開することができる形態で折り畳まれており、しかも、展開させた際の展開長さを短縮させることなく、粘着テープ又はシートの全体の長さを短縮させることができる。さらに、折り畳まれた際の厚みをより一層薄くすることができる。そのため、本発明の折り畳み型粘着テープ又はシートとしては、各種物品を丸めた状態で保持させるための拘束用粘着テープ又はシートとして有用であり、特に、破棄する際に丸めることが可能な物品に予め貼付して、該物品を廃棄する際に長尺状に展開させて、物品を丸めた状態で保持させるための拘束用粘着テープ又はシートとして好適に用いることができる。このような物品としては、特に制限されないが、例えば、紙おむつ（又は使い捨ておむつ等とも称されている）［特に、いわゆる「パンツ型紙おむつ」（又は「パンツ型使い捨ておむつ」等とも称されている）］や生理ナプキン等が挙げられる。
【０１２３】
［紙おむつ］
本発明の紙おむつ（使い捨ておむつ）は、紙おむつを廃棄する際に丸めた状態で保持させるための拘束用粘着テープ又はシートとして、前記折り畳み型粘着テープ又はシートが用いられている。このような紙おむつとしては、いわゆる「テープ付き紙おむつ」（又は「テープ付き使い捨ておむつ」、「オープンタイプ紙おむつ」、「オープンタイプ使い捨ておむつ」等とも称されている）であってもよいが、パンツ型紙おむつが好適に用いられる。なお、紙おむつとしては、大人用紙おむつ乃至乳幼児用紙おむつのいずれであってもよいが、乳幼児用紙おむつが好適である。
【０１２４】
折り畳み型粘着テープ又はシートを紙おむつに貼付する部位としては、特に制限されないが、乳幼児のいたずら防止等の観点から、図６で示されるように、紙おむつの背側表面におけるウエスト部の上下幅領域内に位置する部位（図６における８ａ）が好ましい。
【０１２５】
なお、図６はパンツ型紙おむつの一例を示す概略図である。図６において、８はパンツ型紙おむつ、８ａはパンツ型紙おむつの背側表面におけるウエスト部の上下幅領域内に位置する部位、８ｂはウエスト部の開口部、Ａはパンツ型紙おむつの背側、Ｂはパンツ型紙おむつのウエスト側、Ｃはパンツ型紙おむつの前側である。
【０１２６】
折り畳み型粘着テープ又はシートを紙おむつに貼付する際には、その長手方向は、紙おむつの胴回り方向、上下方向のいずれの方向になるように貼付してもよいが、上下方向になるように貼付されていることが好ましい。すなわち、折り畳み型粘着テープ又はシートは、紙おむつの背側表面におけるウエスト部の上下幅領域内に位置する部位に、ウエスト部の開口部方向に展開させることが可能な形態で貼付されていることが好ましい。なお、本発明の折り畳み型粘着テープ又はシートは、全体長さが短くても、展開長さが従来の長さと同等にすることができるので、紙おむつを丸めた状態で拘束して保持させるのに十分な長さとすることができる。
【０１２７】
本発明の折り畳み型粘着テープ又はシートを、紙おむつの背側表面におけるウエスト部の上下幅領域内に位置する部位に、長手方向が上下方向となり且つウエスト部の開口部方向に展開させることが可能な形態で貼付する場合、折り畳み型粘着テープ又はシートとしては、１つ乃至２つ以上用いることができるが、１つのみ用いることが好ましい。例えば、１つの折り畳み型粘着テープ又はシートを紙おむつの背側表面におけるウエスト部の上下幅領域内に位置する部位に、長手方向が上下方向となり且つウエスト部の開口部方向に展開させることが可能な形態で貼付する場合、図７で示されるように、つまみ部が形成されている端部が上側となる形態で貼付することが好ましい。
【０１２８】
図７は、本発明の折り畳み型粘着テープ又はシートが貼付されている紙おむつの一例を示す概略図である。図７において、１、８、Ａは、前記と同様に、それぞれ、折り畳み型粘着テープ又はシート、紙おむつ、パンツ型紙おむつの背側である。
【０１２９】
このように、本発明の折り畳み型粘着テープ又はシートを、紙おむつの背側表面におけるウエスト部の上下幅領域内に位置する部位に、ウエスト部の開口部方向に展開させることが可能な形態で貼付すると、紙おむつを破棄する際には、例えば、紙おむつの股に位置する部分から前側に胴に位置する方向に丸め、この状態で、折り畳み型粘着テープ又はシートを展開させ展開粘着剤層を利用して貼付して拘束することができる。
【０１３０】
なお、折り畳み型粘着テープ又はシートは容易に長尺状に展開することができるので、おむつ交換をより一層迅速に行うことができる。
【０１３１】
また、前記折り畳み型粘着テープ又はシートは、支持体の各部位間で浮きがほとんど又は全く生じておらず、しかも、折り畳まれているにもかかわらず極めて薄いので、紙おむつに予め貼付していても、紙おむつ（特にパンツ型紙おむつ）の外観性は良好である。
【実施例】
【０１３２】
以下、実施例を挙げて本発明をより具体的に説明するが、本発明は実施例のみに限定されるものではない。
【０１３３】
（実施例１）
支持体として、１２０ｍｍ幅に切断したポリプロピレン製シート（商品名「トレファン」東レ社製；厚み４０μｍ）を用い、図８（ａ）に示されるように、該ポリプロピレン製シート２における所定の面の所定の部位に、それぞれ、シリコーン系離型処理剤（商品名「ＵＶ−９３００」ＧＥ東芝シリコーン社製）を厚みが０．５μｍとなるように塗布し硬化して、離型処理層３ａ２（幅：５０ｍｍ）、離型処理層３ｃ２（幅：６０ｍｍ）を形成した後、図８（ｂ）に示されるように、ホットメルト型粘着剤（商品名「ヒロダイン５１５３」ヤスハラケミカル社製）を厚みが４０μｍとなるように塗布して、展開粘着剤層３ａ１（幅：４３ｍｍ）、貼付粘着剤層３ｂ１（幅：１０ｍｍ）を形成するとともに、印刷を行って、つまみ部用印刷層３ａ３（幅：７ｍｍ）を形成し、さらにその後、図８（ｃ）に示されるように、仮止め剤［（商品名「ＫＲＡＴＯＮ  Ｄ−１１２４」ＫＲＡＴＯＮ  Ｐｏｌｙｍｅｒｓ社製；スチレン−イソプレン−スチレンブロック共重合体）：１００重量部に対して、（商品名「クロリアンＭ−１１５」ヤスハラケミカル社製；テルペン系樹脂）：６０重量部、および（商品名「ＹＳレジンＴＯ−Ｌ」ヤスハラケミカル社製；テルペン系油）：３５重量部が混合された樹脂組成物を含む仮止め剤；１６０℃における溶融粘度（ＪＩＳ  Ｋ  ６８６２に準じる）：４２０Ｐａ・ｓ］を厚みが４０μｍとなるように塗布し硬化して、仮止め層３ｃ１（幅：４６ｍｍ）を形成し、さらに、図８（ｄ）で示されるように、折り畳む前の支持体における同一面上に形成された展開粘着剤層３ａ１と離型処理層３ｃ２との境界部で、展開粘着剤層３ａ１と、離型処理層３ｃ２の展開粘着剤層３ａ１側の部分とが接触するように折り畳み、且つこの折り畳みと並行して、貼付粘着剤層３ｂ１の端部が、仮止め層３ｃ１の端部と重ならずほぼ同一の部位となり、同一の表面側に位置するように折り畳み、貼付粘着剤層３ｂ１および仮止め層３ｃ１の表面と、露出している離型処理層（３ａ２，３ｃ２）の表面とが接触するように重ね合わせてロール状に巻回させることにより、図１又は５で示されるような、特定の構成を有する形態で折り畳まれた状態のロール状に巻回された形態の粘着テープ又はシート（折り畳み型粘着テープ又はシート）を作製した。
【０１３４】
図８は、実施例１において、折り畳み型粘着テープ又はシートを作製する方法を示す概略断面図である。図８において、各符号は、前記に同じである。
【０１３５】
なお、このロール状に巻回された形態の折り畳み型粘着テープ又はシートを、巻き戻して、２０ｍｍ幅に切断して得られる折り畳み型粘着テープ又はシートは、浮きが生じておらず、折り畳まれた状態での密着性が良好であると言える。また、折り畳み型粘着テープ又はシートは、支持体が長尺状の１枚のシート基材であるとともに、折り畳まれた状態での支持体の積層数は２層となっているので、厚みが薄く、しかも柔軟性を有している。
【０１３６】
前記折り畳み型粘着テープ又はシートを、パンツ型紙おむつの背側表面におけるウエスト部の上下幅領域内に位置する部位に、長手方向が上下方向となり、且つ、ウエスト部の開口部方向に展開させることが可能な形態で貼付して、図７で示されるような、折り畳み型粘着テープ又はシートが設けられたパンツ型紙おむつを作製した。
【０１３７】
（評価）
実施例により作製されたパンツ型紙おむつを、任意に選ばれた２０人の親とその子（１〜２歳）に、通常使用する要領で使用してもらい、その後、パンツ型紙おむつを廃棄する際に、パンツ型紙おむつに設けられた折り畳み型粘着テープ又はシートを展開する時の使用感について評価してもらったところ、表１に示される結果が得られた。
【０１３８】
【表１】
2005224285.tif 000003
【０１３９】
表１より、実施例１により得られた折り畳み型粘着テープ又はシートが設けられているパンツ型紙おむつを、廃棄する際には、良好な使用感で展開させることができることが確認された。従って、容易に展開することができる形態で折り畳まれ、且つ展開させた際の展開長さを短縮させることなく、全体の長さを短縮させることができる折り畳み型粘着テープ又はシートが得られたことが確認された。
【図面の簡単な説明】
【０１４０】
【図１】本発明の粘着テープ又はシートの一例を示す概略断面図である。
【図２】本発明の粘着テープ又はシートの他の例を示す概略断面図である。
【図３】折り畳んだ状態の粘着テープ又はシートを示す概略断面図であり、図３（ａ）は本発明の折り畳み型粘着テープ又はシートを示しており、図３（ｂ）は３枚の支持体を繋ぎ合わせて接続させて形成され且つＳ字状に２回折り曲げて折り畳んだ形態の従来の折り畳んだ状態の粘着テープ又はシートを示しており、図３（ｃ）は１枚の支持体により形成され且つＳ字状に２回折り曲げて折り畳んだ形態の粘着テープ又はシートを示している。
【図４】本発明の粘着テープ又はシートを作製する方法の一例を示す概略断面図であり、図４（ａ）は支持体上の所定の部位に各層が形成された状態を示し、図４（ｂ）は各層が形成された支持体を、貼付粘着剤層の端部が仮止め層の端部と重ならずほぼ同一の部位となり、同一の表面側に位置するような形態で折り畳んだ状態を示し、図４（ｃ）は、図４（ｂ）で示されるように折り畳んだ後、展開粘着剤層と、支持体の同一面上に形成された離型処理層との境界部で、展開粘着剤層と離型処理層とが接触するように折り畳んだ状態を示している。
【図５】本発明の粘着テープ又はシートの一例を示す概略断面図であり、図５（ａ）は折り畳まれた状態の粘着テープ又はシートが連続的に形成されている長尺状の連続体をロール状に重ね合わせて巻回された形態の粘着テープ又はシートを示し、図５（ｂ）は、図５（ａ）におけるＸ´−Ｙ´線断面図である。
【図６】パンツ型紙おむつの一例を示す概略図である。
【図７】本発明の折り畳み型粘着テープ又はシートが貼付されている紙おむつの一例を示す概略図である。
【図８】実施例１において、折り畳み型粘着テープ又はシートを作製する方法を示す概略断面図である。
【符号の説明】
【０１４１】
１      粘着テープ又はシート
１ａ    つまみ部が形成された端部（つまみ部形成端部）
１ｂ    つまみ部が形成されていない端部（つまみ部非形成端部）
１ｃ    Ｓ字状に２回折り曲げて折り畳まれた際のつまみ部非形成端部１ｂ側から１つ目の折り目部（第１折り目部）
１ｄ    Ｓ字状に２回折り曲げて折り畳まれた際のつまみ部非形成端部１ｂ側から２つ目の折り目部（第２折り目部）
２      支持体
２ａ    支持体２のつまみ部が形成された端部側の部位（展開部位）
２ｂ    支持体２のつまみ部が形成されていない端部側の部位（貼付部位）
２ｃ    支持体２の折り目部間の部位（１−２折り目部間部位）
３ａ１  粘着剤層（展開粘着剤層）
３ａ２  離型処理層（上部離型処理層）
３ａ３  つまみ部用印刷層
３ｂ１  粘着剤層（貼付粘着剤層）
３ｃ１  仮止め層
３ｃ２  離型処理層（内部離型処理層）
４      つまみ部
Ｘ      貼付部位２ｂの長さ
Ｙ      １−２折り目部間部位２ｃの長さ
Ｚ      展開部位２ａの長さ
８      パンツ型紙おむつ
８ａ    パンツ型紙おむつの背側表面におけるウエスト部の上下幅領域内に位置する部位
８ｂ    ウエスト部の開口部
Ａ      パンツ型紙おむつの背側
Ｂ      パンツ型紙おむつのウエスト側
Ｃ      パンツ型紙おむつの前側
【図１】
2005224285.tif 000004
【図２】
2005224285.tif 000005
【図３】
2005224285.tif 000006
【図４】
2005224285.tif 000007
【図５】
2005224285.tif 000008
【図６】
2005224285.tif 000009
【図７】
2005224285.tif 000010
【図８】
2005224285.tif 000011